(57)【特許請求の範囲】
【請求項１】
対をなす導線を有するコードを介して治療器本体の出力端子に接続され、対向する人体の局部を渦電流によるジュール熱により温熱する超短波治療器用導子において、
渦巻き状に形成され、その一端が前記対をなす導線の一方に接続された配線パターンを有するプリントコイル基板と、
このプリントコイル基板に設けられた前記配線パターンの他端に接続された第１の電極板を有する第１の回路基板と、
前記対をなす導線の他方に接続され、前記第１の電極板と対向して容量を形成する第２の電極板を有する第２の回路基板とを備え、
前記プリントコイル基板は温熱する人体の局部と対向して配されるようになっており、
前記第１の電極板と前記第２の電極板とによって形成される容量は、前記配線パターンのインダクタンスと前記導線の導線容量とに整合するように定められており、
前記第１及び第２の回路基板は、互いに相対移動可能に前記プリントコイル基板に取付けられていることを特徴とする超短波治療器用導子。
【発明の詳細な説明】
【０００１】
【発明の属する技術分野】
本発明は、周波数１０〜５０ＭＨｚの超短波帯の電磁波を人体に照射し、体内に発生する透熱効果により温熱治療を行う超短波治療器に用いられる導子の改良に関する。
【０００２】
【従来の技術】
図４は、従来より公知の超短波治療器の構成ブロック図である。図において、発振回路１は、出力となる超短波の基本周波数、即ちＩＳＭ（Industrial Scientific and Medical equipment）で高周波利用医療機器に割り当てられている周波数、例えば２７．１２ＭＨｚや１３．５６ＭＨｚ、４０．６８ＭＨｚで発振を行っている。尚、ＩＳＭで高周波利用医療機器に割り当てられている周波数のうち、２．４５ＧＨｚはマイクロ波と呼ばれ、超短波に比較して高い周波数帯域となっている。増幅回路２は、発振回路１で出力された信号を充分な電圧に増幅させるものであり、電力増幅回路３は、増幅回路２の出力信号を５０Ｗ程度の規定電力に増幅する。
【０００３】
規定電力は人体の細胞が壊死する温度、例えば摂氏４２度まで上昇することがない値であって、人体の血流による冷却作用に抗して温熱治療に必要な温度、例えば摂氏３８度までは確実に上昇させる値とするとよい。特に糖尿病患者のような知覚神経が麻痺している患者では、組織温度が過度に上昇しても熱さを感じない為、低温火傷や真性火傷を生ずる虞があるから、規定出力の設定が重要になる。
【０００４】
出力整合回路４は、人体インピーダンスと伝送線路の特性インピーダンスとの整合調整をとり、出力基本周波数に対する高調波成分を除外すると共に、導子６に対し最大効率で電力を供給する。調整手段５は、容量を可変するバリコン等を用いて、出力整合回路４の伝送線路の特性インピーダンスを調整する。導子６は、渦巻きコイルを形成した１個の電極板を有し、渦電流によるジュール熱の作用により患部の深いところまで温熱作用を発揮する。
【０００５】
このように構成された装置においては、まず導子６を患部に当てる。すると肩、腰、ひざなどの患部が導子６と当接する。超短波治療器にかかる負荷インピーダンスは、人体各部の誘電率又は損失の相違により異なってくるので、調整手段５を用いて出力整合回路４のインピーダンスを調整して、治療対象となる人体部分のインピーダンスに整合させる。そして超短波治療器による超短波治療を開始する。
【０００６】
尚、導子６の他の形式として、２個対になって容量結合されることにより、治療器本体に対するインピーダンス回路を構成し、高周波加熱により患部に温熱作用を発揮するコンデンサ型や、本出願人の提案にかかる実公平３−２１２５４号公報や特公平６−４９０８０号公報に開示したものが知られている。特公平６−４９０８０号公報の導子は、基本的にはコイル型で、テープ状の電極を腕や脚部に巻きつけて、ラセン電界法を用いて超短波治療を行っている。
【０００７】
【発明が解決しようとする課題】
ところで、従来装置は病院や診療所のように術者が患者に超短波治療を施す場合を念頭においていた為、直径１０ｃｍ程度の導子を固定ベルトにより人体に装着する構造としていた。しかし、超短波治療を家庭でも受けたいという顧客の要望が存在している。ここで問題となるのは、肩こりのように狭い患部の場合にも、スボット的に超短波治療できる構造とすれば、治療する必要のある部位以外は超短波の影響を受ける虞がなくなり、患部近傍を一律に超短波治療する場合に比較して、患者のＱＯＬ（quality of life）が高まることである。
【０００８】
また、出力整合回路４による、人体インピーダンスと伝送線路の特性インピーダンスとの整合調整を取れる範囲は限られている。もし、インピーダンスが取れていないと、超短波治療中に導子が発熱して、患者が治療を継続できなくなるという課題があった。
本発明は上述する課題を解決するもので、肩こりのように狭い患部の場合にもスポット的に超短波治療できると共に、超短波治療途中での発熱の少ない超短波治療器用導子を提供することを目的とする。
【０００９】
【課題を解決するための手段】
請求項１に記載の発明は、対をなす導線を有するコードを介して治療器本体の出力端子に接続され、対向する人体の局部を渦電流によるジュール熱により温熱する超短波治療器用導子において、渦巻き状に形成され、その一端が前記対をなす導線の一方に接続された配線パターンを有するプリントコイル基板と、このプリントコイル基板に設けられた前記配線パターンの他端に接続された第１の電極板を有する第１の回路基板と、前記対をなす導線の他方に接続され、前記第１の電極板と対向して容量を形成する第２の電極板を有する第２の回路基板とを備え、前記プリントコイル基板は温熱する人体の局部と対向して配されるようになっており、前記第１の電極板と前記第２の電極板とによって形成される容量は、前記配線パターンのインダクタンスと前記導線の導線容量とに整合するように定められており、前記第１及び第２の回路基板は、互いに相対移動可能に前記プリントコイル基板に取付けられていることを特徴とするものである。
【００１０】
このように構成された装置においては、プリントコイル基板が人体表面に対向し、人体の局部を渦電流によるジュール熱により温熱する。第１及び第２の電極板は、プリントコイル基板の人体対向面と反対側に設けられているので、導子が小型化できる。また、第１及び第２の電極板は放熱板としても作用するので、仮にインピーダンス整合が旨くとれず、導子が発熱する場合でも過度に熱くなることがなく、治療器としての信頼性が高まる。
【００１１】
また、第１及び第２の電極板によりコンデンサを形成して、プリントコイル基板のインダクタンスと整合する容量値とすることで、人体インピーダンスと伝送線路の特性インピーダンスとの整合調整が容易に行える。
また、第１及び第２の回路基板は、互いに相対移動可能にプリントコイル基板に取付けられる構成とすると、プリントコイル基板のインダクタンスと整合する容量値への調整ができる。
【００１２】
【発明の実施の形態】
以下、図面を用いて本発明の実施の形態を説明する。
図１は、本発明の一実施の形態を説明する構成図で、（Ａ）は正面図、（Ｂ）は断面図である。図において、ケース１０は患者や術者が片手で操作しやすい形状をしたもので、例えばカップ状をしている。フロントカバー１２は、ケース１０の人体局部の対向面に設けられたもので、プリントコイル基板１４を覆っている。プリントコイル基板１４は、渦巻き状に形成された配線パターンを有するもので、導線のターン数は、例えば５〜１０ターンとする。１ターンの場合に比較して、渦電流による温熱効果が深部まで浸透して得られる。回路基板１６は２枚一組でプリントコイル基板１４のケース１０内部側に装着されたもので、それぞれ電極板１６ａ、１６ｂが設けられている。電極板１６ａ、１６ｂは２枚一組で平行電極を構成してコンデンサとして作用するもので、一方がコード２０により治療器本体の出力端子に接続され、他方がプリントコイル基板１４の配線パターンに接続されている。
【００１３】
スタンド取付部１８は、ケース１０をスタンドに取付けるものである。スタンドは、導子を予め定められた位置に所定の姿勢で固定するもので、例えば患者が腰を掛けていて肩を温熱する場合に、導子を肩の位置に固定する。スタンドを用いると、術者が導子を長時間支える必要がなくなり、温熱療法が簡便に行える。
【００１４】
コード２０は２本の導線を一組とし、長さを例えば１．５ｍ程度にする。コード２０の一方の導線はプリントコイル基板１４の渦巻き状配線パターンの一端と接続され、他方の導線は電極板１６ａ、１６ｂの一方と接続されている。ブッシング２２は、コード２０の引出されるケース１０の開口部に取付けられるもので、ケース１０の気密性を保持する。端子部２４は、コード２０の導線を治療器本体の出力端子と接続するもので、ここでは駆動電流の供給用の２端子と、導子がコイル型かコンデンサ型かを判別する第３端子を有する。
【００１５】
このように構成された装置の調整を次に説明する。図２はプリントコイル基板１４に形成される渦巻き状配線パターンの説明図である。プリントコイル基板１４の人体局部の対向面には、渦巻き状配線パターン１４ａが設けられている。渦巻き状配線パターン１４ａの両端には貫通孔１４ｂ、１４ｃが設けられており、貫通孔１４ｂ、１４ｃのケース１０内部側ではコード２０や電極板１６ａ、１６ｂと接続されている。
【００１６】
図３は電極板１６ａ、１６ｂを説明する構成斜視図である。回路基板１６は、幅ｗが２０ｍｍ程度、高さｈが１５ｍｍ程度、間隔ｄが５ｍｍ程度をなすものである。電極板１６ａ、１６ｂは、回路基板１６に取付けられた金属箔であって、電極板１６ａ、１６ｂの間には空気が存在するだけで、特段の誘電体は挿入されていない。その為に、損失が少なく発熱しくにい。また、電極板の間には空気が存在しているので、仮にプリントコイル基板１４で発熱しても電極板１６ａ、１６ｂがヒートシンクとして作用して、ケース１０内部で放熱が行われる。
【００１７】
このように構成された装置において、治療器本体の出力端子に端子部２４を接続すると、導子に対して駆動電流が供給される。プリントコイル基板１４では、駆動電流に対応する渦電流を患部に発生させる。電極板１６ａ、１６ｂで形成される容量は、プリントコイル基板１４の渦巻き状配線パターン１４ａのインダクタンス、コード２０の導線容量と整合するように定められており、治療器本体とインピーダンス整合をとっている。
【００１８】
尚、上記実施例においては電極板の位置をプリントコイル基板に固定する場合を示したが、本発明はこれに限定されるものではなく、例えば電極板１６ａ、１６ｂの相対的な位置関係を調整するノブをケース１０に露出させて、ノブにより電極板の容量を最適に調整できる構成としてもよい。
【００１９】
【発明の効果】
以上説明したように、本発明によれば、第１及び第２の電極板は、プリントコイル基板の人体対向面と反対側に設けられているので、導子が小型化できる。また、第１及び第２の電極板は損失が少なく、また放熱板としても作用するので、仮にインピーダンス整合が旨くとれず、導子が発熱する場合でも過度に熱くなることがなく、治療器としての信頼性が高まるという効果がある。
【図面の簡単な説明】
【図１】  本発明の一実施の形態を説明する構成ブロック図である。
【図２】  プリントコイル基板１４に形成される渦巻き状配線パターンの説明図である。
【図３】  電極板１６ａ、１６ｂを説明する構成斜視図である。
【図４】  従来装置の説明図である。
【符号の説明】
１０  ケース
１２  フロントカバー
１４  プリントコイル基板
１６  回路基板
１６ａ、１６ｂ  電極板
２０  コード
【図１】
0004171559.tif 000002
【図２】
0004171559.tif 000003
【図３】
0004171559.tif 000004
【図４】
0004171559.tif 000005